(57)【要約】【課題】頭部を休めた姿勢で音響を聴取することが可能なヘッドフォンを提供する。【解決手段】ヘッドフォン１００は、第１スピーカ１４を有する第１装耳部１１と、第２スピーカ２４を有する第２装耳部２１と、第１装耳部１１および第２装耳部２４を接続するヘッドバンド３０を備える。ヘッドバンド３０は、ユーザの後頭部ＨＢ側に装着されたとき、該ユーザの後頭部ＨＢまたは首部Ｎを保護する保護部材６０を有している。これにより頭部Ｈを休めた姿勢で音響を聴取することが可能となる。【選択図】図４
2018056909.tif 000002
【特許請求の範囲】
【請求項１】
第１スピーカを有する第１装耳部と、
第２スピーカを有する第２装耳部と、
前記第１、第２装耳部を接続するヘッドバンドと、
を備えたヘッドフォンであって、
前記ヘッドバンドは、ユーザの後頭部側に装着されたとき、該ユーザの後頭部または首部を保護する保護部材を有しているヘッドフォン。
【請求項２】
前記保護部材は、ユーザの顔面側に装着されたとき、該ユーザに対して手枕またはアイマスクになる形状を有している請求項１に記載のヘッドフォン。
【請求項３】
前記ヘッドバンドの位置を、前記ユーザの後頭部を保護する位置である第１ポジションと、前記ユーザの顔面を保護する位置である第２ポジションと、の間で切り替えるポジション切替部を有する、
請求項２に記載のヘッドフォン。
【請求項４】
前記ユーザの首の側方に配置され、前記ユーザの首の動きを制限するネックレストをさらに有する、
請求項１から３のいずれか１項に記載のヘッドフォン。
【請求項５】
特定音を記憶し、該特定音を再生して前記第１、第２スピーカに対して供給する再生部と、
前記ヘッドバンドの姿勢を検出する姿勢センサと、
を更に備え、前記姿勢センサが、前記ヘッドバンドの特定の姿勢を検出したとき、前記再生部が前記特定音を再生する請求項１から請求項４のいずれか１項に記載のヘッドフォン。
【発明の詳細な説明】
【技術分野】
【０００１】
この発明は、オーディオ信号を再生して音響を聴取するために用いられるヘッドフォンに関する。
【背景技術】
【０００２】
ヘッドフォンは、ユーザの左右の耳に装着される装耳部を有し、各装耳部は、小型のスピーカを内蔵している。左右の装耳部は、ヘッドバンドで接続されている。オーディオ信号は、ケーブルあるいはＢｌｕｅｔｏｏｔｈ（登録商標）を介してヘッドフォンに入力される（たとえば特許文献１）。
【０００３】
ヘッドフォンは、一般的に座った姿勢や立った姿勢でオーディオ信号の再生音（以下、単に再生音という。）を聴取する場合に使用されることが多い。しかしながら、ユーザには、仮眠をとりながら音楽を聴く場合など、頭部を休めた姿勢で再生音を聴取したいという要望がある。
【０００４】
例えば、睡眠を取るために横になっている状態や、交通手段での移動中に座席に座って睡眠を取る場合にヘッドフォンを使用することが考えられる。また、机にうつ伏せになった姿勢で仮眠を取りながらヘッドフォンを使用することも考えられる。
【先行技術文献】
【特許文献】
【０００５】
【特許文献１】特開２００９−２２４９１１号公報
【発明の開示】
【発明が解決しようとする課題】
【０００６】
しかしながら、従来のヘッドフォンは、上記のように頭部を休めた姿勢で再生音を聴取することは考慮されていなかった。このため、ヘッドフォンをしたまま仮眠をとろうとしても、ヘッドフォンが邪魔になって頭部を休めることができなかった。
【０００７】
この発明は、頭部を休めた姿勢で音響を聴取することが可能なヘッドフォンを提供することを課題とする。
【課題を解決するための手段】
【０００８】
この発明のヘッドフォンは、第１スピーカを有する第１装耳部と、第２スピーカを有する第２装耳部と、第１、第２装耳部を接続するヘッドバンドと、を備えたヘッドフォンであって、ヘッドバンドは、ユーザの後頭部側に装着されたとき、ユーザの後頭部または首部を保護する保護部材を有していることを特徴とする。
【０００９】
保護部材は、ユーザの顔面側に装着されたとき、ユーザに対して手枕またはアイマスクになる形状を有してもよい。
【００１０】
ヘッドバンドの位置を、ユーザの後頭部を保護する位置である第１ポジションと、ユーザの顔面を保護する位置である第２ポジションとの間で切り替えるポジション切替部を有してもよい。
【００１１】
ユーザの首の側方に配置され、ユーザの首の動きを制限するネックレストをさらに有してもよい。
【００１２】
特定音を記憶し、特定音を再生して前記第１、第２スピーカに対して供給する再生部と、ヘッドバンドの姿勢を検出する姿勢センサとを更に備え、姿勢センサがヘッドバンドの特定の姿勢を検出したとき、再生部が特定音を再生するようにしてもよい。
【発明の効果】
【００１３】
この発明によれば、頭部を休めた姿勢で音響を聴取することが可能となる。
【図面の簡単な説明】
【００１４】
【図１】この発明が適用される実施形態１にかかるヘッドフォンの平面図である。
【図２】実施形態１にかかるヘッドフォンの右側面図である。
【図３】実施形態１にかかるヘッドフォンの正面図である。
【図４】ヘッドフォンを装着した状態を示す人体頭部の右側面図である。
【図５】この発明の実施形態２にかかるヘッドフォンの平面図である。
【図６】実施形態２にかかるヘッドフォンの右側面図である。
【図７】実施形態２にかかるヘッドフォンの正面図である。
【図８】ヘッドフォンを装着した状態を示す人体頭部の右側面図である。
【図９】ヘッドフォンを装着した状態を示す人体頭部の右側面図である。
【発明を実施するための形態】
【００１５】
［実施形態１］
以下、図面を参照し、本発明の実施形態に係るヘッドフォン１００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１６】
図１は、この発明が適用される実施形態１に係るヘッドフォン１００の平面図である。図２は、ヘッドフォン１００の右側面図である。図３は、ヘッドフォン１００の正面図である。図１では、矢印Ｒはヘッドフォン１００の右方向を示し、矢印Ｌは左方向を示す。矢印Ｆはヘッドフォン１００の前方向を示し、矢印Ｂは後方向を示す。ヘッドフォン１００は、Ｂｌｕｅｔｏｏｔｈ（登録商標）やＡｉｒＷｉｒｅｄ（商標）などの無線通信でオーディオ再生装置と接続されるワイヤレスヘッドフォンである。ヘッドフォン１００は、第１装耳部１１、第２装耳部２１、ヘッドバンド３０、ネックレスト７０を有している。
【００１７】
第１装耳部１１および第２装耳部２１は、ユーザＵがヘッドフォン１００を頭部Ｈに装着した状態で右耳ＥＲおよび左耳ＥＬに装着される部分である（図４参照）。第１装耳部１１はユーザＵの右耳ＥＲに装着され、第２装耳部２１はユーザＵの左耳ＥＬに装着される。第１装耳部１１および第２装耳部２１は、平面視で略半円形状のヘッドバンド３０で接続されている。
【００１８】
第１装耳部１１は、第１支持部１２、第１ハウジング１３および第１スピーカ１４を有している。第１支持部１２は、短い円筒形状を有しており、ヘッドバンド３０の右端に固定されている。第１ハウジング１３は、短い円筒形状を有しており、第１支持部１２に対して首振り可能に接続されている。第１ハウジング１３は、第１スピーカ１４を内蔵している。第１ハウジング１３の内側面、すなわちヘッドバンド３０が形成する円周の内側の面に、ユーザＵの右耳ＥＲ周辺の頭部右側面ＨＲに当接するクッション１５が設けられている。クッション１５はドーナッツ状であり、中心部に開口部が形成されている。クッション１５の開口部の内側に第１スピーカ１４が設けられている。
【００１９】
第２装耳部２１は、第１装耳部１１と略同様の構成であり、第２支持部２２、第２ハウジング２３および第２スピーカ２４を有している。第２支持部２２は、短い円筒形状を有しており、ヘッドバンド３０の左端に固定されている。第２ハウジング２３は、短い円筒形状を有しており、第２支持部２２に対して首振り可能に接続されている。第２ハウジング２３は、第２スピーカ２４を内蔵している。第２ハウジング２３の内側面、すなわちヘッドバンド３０が形成する円周の内側の面に、ユーザＵの左耳ＥＬ周辺の頭部左側面ＨＬに当接するクッション２５が設けられている。クッション２５はドーナッツ状であり、中心部に開口部が形成されている。クッション２５の開口部の内側に第２スピーカ２４が設けられている。
【００２０】
第１支持部１２には、電子回路部４１が内蔵され、第２支持部２２には、バッテリ４２が内蔵されている。電子回路部４１は、第１スピーカ１４および第２スピーカ２４から放音するオーディオ信号を処理するオーディオ回路を備えている。バッテリ４２は、電子回路部４１を駆動させる。
【００２１】
オーディオ回路は、ＢｌｕｅｔｏｏｔｈやＡｉｒＷｉｒｅｄなどの無線通信を介してオーディオ再生装置からデジタルのオーディオ信号を受信する通信回路、通信回路によって受信されたデジタル信号をアナログのステレオ信号に変換するＤ／Ａコンバータ、アナログ信号を増幅して第１スピーカ１４および第２スピーカ２４に供給する増幅回路を含んでいる。
【００２２】
ヘッドバンド３０は、第１装耳部１１および第２装耳部２１を接続する部材である。ヘッドバンド３０は、ヘッドバンド本体３１および保護部材６０を有している。ヘッドバンド本体３１は、弾性変形可能な硬質樹脂や金属などの材質で形成されており、ユーザＵがヘッドフォン１００を頭部Ｈに装着した状態で、第１装耳部１１および第２装耳部２１を右耳ＥＲおよび左耳ＥＬ周辺の頭部右側面ＨＲおよび頭部左側面ＨＬに密着させるように適度な接圧を生じさせる。ヘッドバンド本体３１は、ユーザＵがヘッドフォン１００を頭部Ｈに装着した状態で、ユーザＵの後頭部ＨＢ側に配置される（図４参照）。ヘッドバンド本体３１の内部には、第１装耳部１１および第２装耳部２１の第１スピーカ１４、第２スピーカ２４、電子回路部４１、および、バッテリ４２を相互に接続するケーブル（図示せず）が埋設されている。
【００２３】
保護部材６０は、第１装耳部１１および第２装耳部２１の間において、ヘッドバンド本体３１に沿って設けられている。保護部材６０は、ユーザＵがヘッドフォン１００を頭部Ｈに装着した状態で、ユーザＵの頭部Ｈのうち、右耳ＥＲおよび左耳ＥＬの後方から後頭部ＨＢを取り囲む形状を有している。この形状により、保護部材６０は、ユーザＵがヘッドフォン１００を頭部Ｈに装着した状態で座席の背もたれに頭を休める等した場合でも違和感なく、ユーザＵの頭部Ｈを保護する。
【００２４】
なお、本明細書において、ユーザＵの頭部Ｈの保護とは、大きな衝撃からユーザＵの頭部Ｈを守ることを意味するものではない。本明細書におけるユーザＵの頭部Ｈの保護とは、例えば、ユーザＵがヘッドフォン１００を頭部Ｈに装着した状態で横になった場合に、装耳部１１、１２の違和感を和らげるとともに、頭部Ｈに加わる圧力を分散させて痛みを感じさせにくくし、ユーザＵが快適にヘッドフォン１００を装着したまま横になれるようにすることを意味している。保護部材６０の素材としては、柔軟性とクッション性を有する素材、例えば、発泡プラスチックやエラストマーを用いることができる。
【００２５】
保護部材６０は、ユーザＵの頭部Ｈに対向する面（内面）である第１面６１、および第１面６１と反対側の面（外面）である第２面６２を有しており、第１面６１および第２面６２は、ともに柔軟性およびクッション性を有する素材で形成されている。これにより、例えばユーザＵがヘッドフォン１００を頭部Ｈに装着した状態で横になった場合に、保護部材６０の第２面６２（外面）に接触した物体（例えば、硬い材質でできた物体）からの圧迫を頭部Ｈに伝え難くして、頭部Ｈに違和感を感じさせずに頭部Ｈを快適に保護することができる。
【００２６】
なお、第２面６２（外面）の柔軟性およびクッション性は必須ではなく、第１面６１（内面）のみ柔軟性およびクッション性を有するようにしてもよい。第１面６１は、ユーザＵがヘッドフォン１００を頭部Ｈに装着した状態でユーザＵの後頭部ＨＢに沿うように、下部６１Ｕが前方に突出する形状を有している（図２および図４参照）。
【００２７】
また、保護部材６０は、第２面６２（外面）と第１装耳部１１および第２装耳部２１との段差を小さくしている。これにより、例えばユーザＵがヘッドフォン１００を頭部Ｈに装着した状態で横になった場合に、頭部Ｈに段差による違和感を感じさせずに頭部Ｈの向きを変えることができ、頭部Ｈを快適に保護することができる。
【００２８】
ネックレスト７０は、ユーザＵがヘッドフォン１００を頭部Ｈに装着した状態で、ユーザＵの首Ｎの側方に位置するように配置される（図４参照）。ネックレスト７０は、例えば、ユーザＵが座った姿勢で睡眠を取る場合に、ユーザＵの首Ｎの動きを制限してユーザＵの首Ｎを支えるために設けられている。
【００２９】
ネックレスト７０は、右ネックレスト７０Ｒおよび左ネックレスト７０Ｌを有している。右ネックレスト７０Ｒは、第１装耳部１１の下方に配置され、左ネックレスト７０Ｌは、第２装耳部２１の下方に配置されている。右ネックレスト７０Ｒおよび左ネックレスト７０Ｌの間には、ユーザＵの首Ｎが配置される空間７１が形成される。なお、本実施形態では、右ネックレスト７０Ｒおよび左ネックレスト７０Ｌは、保護部材６０に連続して一体に形成されている。しかしながら、例えば右ネックレスト７０Ｒおよび左ネックレスト７０Ｌを保護部材６０とは別体に形成し、右ネックレスト７０Ｒおよび左ネックレスト７０Ｌを保護部材６０に対して取り外し可能としてもよい。
【００３０】
図２は、ヘッドフォン１００の右側面図である。第１装耳部１１および第２装耳部２１を接続するヘッドバンド３０は、側面視で後方に延びている。保護部材６０の第１面６１（内面）は、ユーザＵがヘッドフォン１００を頭部Ｈに装着した状態でユーザＵの後頭部ＨＢに沿うように、下部６１Ｕが前方に突出する形状を有している。
【００３１】
第１装耳部１１および第２装耳部２１の上下方向の長さをＨ１とし、保護部材６０の後部における上下方向の長さをＨ２とすると、長さＨ２は、長さＨ１より大きくなっている。保護部材６０の上下方向の長さを大きくすることにより、ユーザＵがヘッドフォン１００を頭部Ｈに装着した状態において、保護部材６０でユーザＵの後頭部ＨＢを広く覆うことができる。また、保護部材６０の上下方向の長さが大きいことにより、ネックレスト７０をユーザＵの首Ｎの側方に配置することができる。また、保護部材６０の上部の位置は、第１装耳部１１および第２装耳部２１の上部の位置と略同じ高さとしており、保護部材６０でユーザＵの後頭部ＨＢの隆起した部分を保護するようにしている。
【００３２】
図３は、ヘッドフォン１００の正面図である。第１装耳部１１および第２装耳部２１の下部において、保護部材６０の第１面６１（第１右内面６１Ｒおよび第１左内面６１Ｌ）は、クッション１５およびクッション２５の内面よりも外側に位置するようにしている。このため、ユーザＵがヘッドフォン１００を頭部Ｈに装着した状態において、保護部材６０に干渉することなく、第１装耳部１１および第２装耳部２１を右耳ＥＲおよび左耳ＥＬ周辺の頭部右側面ＨＲおよび頭部左側面ＨＬに密着させることができる。
【００３３】
図４は、ヘッドフォン１００を装着した状態を示す人体頭部Ｈの右側面図である。ユーザＵがヘッドフォン１００を頭部Ｈに装着した状態で、第１装耳部１１および第２装耳部２１は、右耳ＥＲおよび左耳ＥＬに装着される。保護部材６０は、ユーザＵの頭部右側面ＨＲ、後頭部ＨＢ、および頭部左側面ＨＬを取り囲むように配置される。また、保護部材６０の第１面６１（内面）の下部６１Ｕは、ユーザＵの後頭部ＨＢに沿って配置される。また、ネックレスト７０はユーザＵの首Ｎの側方に配置される。
【００３４】
また、ユーザＵがヘッドフォン１００を頭部Ｈに装着することにより、ネックレスト７０は、ユーザＵの首Ｎの側方に配置される。このため、頭部Ｈを保護しながら、首Ｎの動きを制限することができる。例えば、ユーザＵがヘッドフォン１００を頭部Ｈに装着した状態で、座った姿勢で背もたれのない状態で睡眠を取る場合でも、ユーザＵの首Ｎの動きを制限してユーザＵの首Ｎを支えることができる。
【００３５】
以上説明した実施形態１のヘッドフォン１００によれば、ユーザＵがヘッドフォン１００を頭部Ｈに装着した状態で、保護部材６０がユーザＵの両耳ＥＲ，ＥＬの後方から後頭部ＨＢを保護する。このため、例えばヘッドフォン１００を装着したまま横になることができるなど、頭部を休めた姿勢で音響を聴取することができる。
【００３６】
また、電子回路部４１に快眠を促す音楽（快眠音楽）を記憶するメモリを設けるとともに、ヘッドフォン１００の姿勢を検出する姿勢センサを設けてもよい。そして、姿勢センサによりユーザＵが睡眠を取っていると判断された場合には、記憶している快眠音楽を再生するようにしてもよい。
【００３７】
［実施形態２］
実施形態２にかかるヘッドフォン２００は、第１装耳部１１１、第２装耳部１２１において、支持部１１２、１１３とハウジング１１３、１２３との間にポジション切替部８０を有する点で、実施形態１のヘッドフォン１００と異なっている。実施形態１と同一の構成については同一の符号を付して詳細な説明については省略する。
【００３８】
ポジション切替部８０は、第１面に対して第２面を回動自在にする機構部であり、ターンテーブルベアリングなどが適用可能である。ポジション切替部８０は、保護部材１６０の位置を、ユーザＵの後頭部ＨＢを保護する位置である第１ポジションＰ１と、ユーザＵの顔面ＨＦを保護する位置である第２ポジションＰ２と、の間で切り替える（図９参照）。
【００３９】
図５は、この発明の実施形態２にかかるヘッドフォン２００の平面図である。図６は、ヘッドフォン２００の右側面図である。図７は、ヘッドフォン２００の正面図である。図５に示すように、ヘッドフォン２００は、第１装耳部１１１、第２装耳部１２１、ヘッドバンド１３０を有している。
【００４０】
第１装耳部１１１は、第１支持部１１２、第１ハウジング１１３および第１スピーカ１４を有している。第１支持部１１２は、短い円筒形状を有しており、ヘッドバンド１３０の右端に固定されている。第１ハウジング１１３は、短い円筒形状を有している。第１支持部１１２および第１ハウジング１１３は、ポジション切替部８０によって接続されている。ポジション切替部８０により、第１ハウジング１１３は、第１支持部１１２に対して同軸で回転可能であり、かつ、第１ハウジング１１３は、第１支持部１１２に対して首振り可能である。
【００４１】
第２装耳部１２１は、第１装耳部１１１と略同様の構成であり、第２支持部１２２、第２ハウジング１２３および第２スピーカ２４を有している。第２支持部１２２は、短い円筒形状を有しており、ヘッドバンド１３０の左端に固定されている。第２ハウジング１２３は、短い円筒形状を有している。第２支持部１２２および第２ハウジング１２３は、ポジション切替部８０によって接続されている。ポジション切替部８０により、第２ハウジング１２３は、第２支持部１２２に対して同軸で回転可能であり、かつ、第２ハウジング１２３は、第２支持部１２２に対して首振り可能である。
【００４２】
第１装耳部１１１および第２装耳部１２１に設けられたポジション切替部８０により、ユーザＵがヘッドフォン２００を装着したのち、ヘッドバンド１３０を回動させることにより、ヘッドバンド１３０を第１装耳部１１１および第２装耳部１２１に対して、後方の位置（第１ポジションＰ１）と前方の位置（第２ポジションＰ２）に切り替えることができる。
【００４３】
保護部材１６０は、第１装耳部１１１および第２装耳部１２１の間において、ヘッドバンド本体１３１に沿って設けられている。なお、図６および図７に示すように、本実施形態２の保護部材１６０は、実施形態１の保護部材６０と異なり、第１面１６１（内面）と第２面１６２（外面）の間の距離（厚みｔ）は一定になっている。また、ネックレストは設けられていない。
【００４４】
図８および図９は、ヘッドフォン２００を装着した状態を示す人体頭部Ｈの右側面図である。ユーザＵがヘッドフォン２００を頭部Ｈに装着した状態で、第１装耳部１１１および第２装耳部１２１は、右耳ＥＲおよび左耳ＥＬに装着される。図８では、ヘッドバンド１３０は、ユーザＵの後頭部ＨＢを保護する位置である第１ポジションＰ１になっている。第１装耳部１１１および第２装耳部１２１を右耳ＥＲおよび左耳ＥＬに装着した状態のまま、ヘッドバンド１３０をユーザＵの顔面ＨＦ側に移動させると、ポジション切替部８０が作動して、図９に示すように、ヘッドバンド１３０は、ユーザＵの顔面ＨＦを保護する位置である第２ポジションＰ２に切り替えられる。ヘッドバンド１３０は、第１ポジションＰ１と第２ポジションＰ２の間で移動可能である。なお、第１ポジションＰ１と第２ポジションＰ２の切り替えは、ユーザＵがヘッドフォン２００を頭部Ｈから外した状態で行ってもよい。
【００４５】
以上説明した実施形態２のヘッドフォン２００によれば、例えば、ヘッドフォン２００を装着したまま横になる場合には、ヘッドバンド１３０を第１ポジションＰ１に切り替えることにより、保護部材１６０によってユーザＵの両耳ＥＲ，ＥＬの後方から後頭部ＨＢを保護することができる。また、例えば、ヘッドフォン２００を装着したまま机にうつ伏せになった姿勢で仮眠を取る場合には、ヘッドバンド１３０を第２ポジションＰ２に切り替えることにより、保護部材１６０によってユーザＵの顔面ＨＦを保護することができる。よって、保護部材１６０の位置を切り替えて、後頭部ＨＢを保護したり、顔面ＨＦを保護しながら様々な姿勢で音響を聴取することができる。
【００４６】
また、第２実施形態の電子回路部４１に快眠を促す音楽（快眠音楽）を記憶するメモリを設けるとともに、ポジション切替部８０にヘッドバンド１３０の角度を検出する姿勢センサを設けてもよい。そして、姿勢センサによりユーザＵが睡眠を取っていると判断された場合には、記憶している快眠音楽を再生するようにしてもよい。
【００４７】
以上説明した本発明のヘッドフォンは、上記実施形態に限定されない。例えば、上記実施形態で説明した第１装耳部１１、第２装耳部２１、保護部材６０，１６０、ネックレスト７０の形状は一例であり、実施形態のものに限定されない。
【００４８】
実施形態１のヘッドフォン１００は、ユーザＵがヘッドフォン１００を頭部Ｈに装着した状態で、保護部材６０がユーザＵの両耳ＥＲ，ＥＬの後方から後頭部ＨＢを保護する形態としたが、これに限定されない。例えば、ユーザＵがヘッドフォン１００を頭部に装着した状態で、実施形態２のヘッドフォン２００の第２ポジションＰ２のように、ユーザＵの顔面ＨＦを保護するようにしてもよい。この場合、ヘッドフォンをアイマスクのように使用することができる。
【００４９】
また、実施形態２のヘッドフォン２００は、ポジション切替部８０を備えているが、ポジション切替部８０を省略して、ヘッドバンド１３０のポジション切り替えをできなくしてもよい。この場合、ヘッドバンド１３０を後頭部ＨＢに配置する状態（第１ポジションＰ１に相当）と、ヘッドバンド１３０を顔面ＨＦに配置する状態（第２ポジションＰ２に相当）とをヘッドバンド１３０の向きを変えることで使い分けることができる。また、この場合、ユーザＵがヘッドフォン１００を頭部Ｈに装着した向きを検知して、第１スピーカ１４および第２スピーカ２４のどちらに２チャンネルのオーディオ信号の右チャンネル／左チャンネルを割り当てるかを決定するようにしてもよい。
【００５０】
実施形態１および２の説明では、ヘッドバンドを後頭部ＨＢまたは顔面ＨＦに配置するとしたが、ヘッドバンドを頭頂部に配置できるようにしてもよい。また、ヘッドバンドの長さを調節できようにして、ヘッドバンドを後頭部ＨＢ、顔面ＨＦ、または頭頂部に配置しやすくしてもよい。
【００５１】
また、上記説明ではワイヤレスヘッドフォンとして説明したが、オーディオ再生装置とヘッドフォンがケーブルで接続されるものであってもよい。この場合、電子回路部４１の通信回路、Ｄ／Ａコンバータおよび増幅回路は不要になり、オーディオ再生装置に接続されたケーブルが電子回路部４１に接続される。また、ケーブルを電子回路部４１に直接接続するのでなく、第１装耳部１１または第２装耳部２１にコネクタ（ジャック）を設け、コネクタ（プラグ）を有するケーブルを着脱可能に接続してもよい。また、ヘッドフォン自体にオーディオ再生装置を搭載してもよい。
【符号の説明】
【００５２】
１００、２００  ヘッドフォン
１１  第１装耳部
２１  第２装耳部
１４  第１スピーカ
２４  第２スピーカ
３０、１３０  ヘッドバンド
６０、１６０  保護部材
【図１】
2018056909.tif 000003
【図２】
2018056909.tif 000004
【図３】
2018056909.tif 000005
【図４】
2018056909.tif 000006
【図５】
2018056909.tif 000007
【図６】
2018056909.tif 000008
【図７】
2018056909.tif 000009
【図８】
2018056909.tif 000010
【図９】
2018056909.tif 000011